(57)【要約】【課題】支持部材とケース部材との間の絶縁性能を高めることができる電動機格納装置の組み付け方法を提供すること。【解決手段】電動機を格納するケース部材と、電動機のロータ軸を回転可能に支持する支持部材と、を備え、支持部材とケース部材との間が電気的に絶縁された電動機格納装置であり、ケース部材と支持部材とを組み付ける電動機格納装置の組み付け方法であって、ケース部材と支持部材との位置決めを行うための位置決め用治具に、ケース部材または支持部材に形成された位置決め用穴の開口における面取り部を覆うための絶縁性を有するキャップを取り付け、位置決め用穴に位置決め用治具をキャップが面取り部を覆うように嵌め込み、ケース部材と支持部材とを位置決め用治具にて位置決めを行った状態で組み付け、ケース部材と支持部材とを組み付けた後に、キャップを位置決め用穴に残しつつ位置決め用治具を位置決め用穴から抜き取る。【選択図】図３
2020028161.tif 000002
【特許請求の範囲】
【請求項１】
電動機を格納するケース部材と、
前記電動機のロータ軸を回転可能に支持する支持部材と、
を備え、
前記支持部材と前記ケース部材との間が電気的に絶縁された電動機格納装置であり、
前記ケース部材と前記支持部材とを組み付ける電動機格納装置の組み付け方法であって、
前記ケース部材と前記支持部材との位置決めを行うための位置決め用治具に、前記ケース部材または前記支持部材に形成された位置決め用穴の開口における面取り部を覆うための絶縁性を有するキャップを取り付け、
前記位置決め用穴に前記位置決め用治具を前記キャップが前記面取り部を覆うように嵌め込み、
前記ケース部材と前記支持部材とを前記位置決め用治具にて位置決めを行った状態で組み付け、
前記ケース部材と前記支持部材とを組み付けた後に、前記キャップを前記位置決め用穴に残しつつ前記位置決め用治具を前記位置決め用穴から抜き取る、
ことを特徴とする電動機格納装置の組み付け方法。
【発明の詳細な説明】
【技術分野】
【０００１】
本発明は、電動機格納装置の組み付け方法に関する。
【背景技術】
【０００２】
特許文献１には、電動機を格納するケース部材と、電動機のロータ軸を回転可能に支持する支持部材と、を備え、支持部材とケース部材との間が電気的に絶縁された電動機格納装置が開示されている。また、特許文献１において、ケース部材と支持部材とは絶縁ピンにより位置決めすることが開示されている。
【先行技術文献】
【特許文献】
【０００３】
【特許文献１】特開２０１６−１５８４３７号公報
【発明の概要】
【発明が解決しようとする課題】
【０００４】
ところで、絶縁ピンを嵌め入れる位置決め用穴の開口部には、一般に面取りが施される。このため、面取り部にヒゲバリがあると、ヒゲバリを介して、あるいは、ヒゲバリ及び絶縁ピンの非絶縁部を介して、支持部材とケース部材とが電気的に導通し、循環電流が流れてしまい、循環電流が流れることに伴う不具合が生じるおそれがあった。
【０００５】
本発明は、上記課題に鑑みてなされたものであって、その目的は、支持部材とケース部材との間の絶縁性能を高めることができる電動機格納装置の組み付け方法を提供することである。
【課題を解決するための手段】
【０００６】
上述した課題を解決し、目的を達成するために、本発明に係る電動機格納装置の組み付け方法は、電動機を格納するケース部材と、前記電動機のロータ軸を回転可能に支持する支持部材と、を備え、前記支持部材と前記ケース部材との間が電気的に絶縁された電動機格納装置であり、前記ケース部材と前記支持部材とを組み付ける電動機格納装置の組み付け方法であって、前記ケース部材と前記支持部材との位置決めを行うための位置決め用治具に、前記ケース部材または前記支持部材に形成された位置決め用穴の開口における面取り部を覆うための絶縁性を有するキャップを取り付け、前記位置決め用穴に前記位置決め用治具を前記キャップが前記面取り部を覆うように嵌め込み、前記ケース部材と前記支持部材とを前記位置決め用治具にて位置決めを行った状態で組み付け、前記ケース部材と前記支持部材とを組み付けた後に、前記キャップを前記位置決め用穴に残しつつ前記位置決め用治具を前記位置決め用穴から抜き取る、ことを特徴とするものである。
【発明の効果】
【０００７】
本発明に係る電動機格納装置の組み付け方法は、位置決め用穴の面取り部にヒゲバリがあったとしても、支持部材とケース部材とが導通することがなく、また、キャップにより絶縁性を確保することができるため、支持部材とケース部材との間の絶縁性能を高めることができるという効果を奏する。
【図面の簡単な説明】
【０００８】
【図１】図１は、実施形態に係る電動機格納装置の要部を示した図である。
【図２】図２は、キャップの外観を示す斜視図である。
【図３】図３は、リヤカバーとオイルポンプボデーとを組み付ける際の位置決め作業手順の一例を示した図である。
【図４】図４は、位置決め用治具によって位置決めを行った状態で、絶縁ボルトなどによってリヤカバーとポンプボデーとを締結して組み付けた電動機格納装置の要部を示した図である。
【発明を実施するための形態】
【０００９】
以下に、本発明に係る電動機格納装置の組み付け方法の一実施形態について説明する。なお、本実施形態により本発明が限定されるものではない。
【００１０】
図１は、実施形態に係る電動機格納装置１００の要部を示した図である。実施形態に係る電動機格納装置１００は、リヤカバー１を有するトランスアクスルケース、オイルポンプボデー２３、及び、絶縁ガスケット５などを有しており、トランスアクスルケースが電動機を格納するケース部材として機能する。
【００１１】
オイルポンプボデー２３は、オイルポンプ２のポンプロータ２２を収容する凹部を有し、オイルポンプ２へエンジンからの動力を伝達するオイルポンプ駆動軸２１及び電動機のロータ軸６を回転可能に支持する支持部材として機能する。電動機のロータ軸６の一端部は、ボールベアリング５１を介してオイルポンプボデー２３に回転可能に支持されている。電動機のロータ軸６の内周側に同心に貫通して配置されたオイルポンプ駆動軸２１は、そのリヤカバー１側の端部がオイルポンプ２のポンプロータ２２に連結されている。オイルポンプ駆動軸２１のポンプロータ２２側の端部はニードルベアリング５２を介してオイルポンプボデー２３により回転可能に支持されている。エンジンにより駆動されてオイルポンプ２から吐出された潤滑油は、オイルポンプ駆動軸２１の内周側に形成された軸心油路７と、オイルポンプ駆動軸２１及びロータ軸６に径方向にそれぞれ設けられた径方向油路と、を通じて電動機などに供給される。
【００１２】
絶縁ガスケット５は、リヤカバー１とオイルポンプボデー２３との間を電気的に絶縁する絶縁部として機能する。絶縁ガスケット５は、電気的な絶縁材料、例えば、合成樹脂フィルムや合成樹脂複合材料などから形成された絶縁板であり、リヤカバー１とオイルポンプボデー２３との対向面に介在させられている。また、リヤカバー１とオイルポンプボデー２３とは、絶縁ワッシャ９を介在させて絶縁ボルト８によって締結されている。
【００１３】
また、リヤカバー１には、リヤカバー１とオイルポンプボデー２３との位置決めを行う際に用いられる位置決め用穴１０が設けられている。この位置決め用穴１０には、リヤカバー１とオイルポンプボデー２３とを組み付ける際に、絶縁性を有するキャップ３が嵌め込まれる。
【００１４】
図２は、キャップ３の外観を示す斜視図である。キャップ３は、円筒部３１と円錐部３２とを有しており、後述する位置決め用治具４（図３を参照）を挿入可能な中空状となっている。円錐部３２の外周面３２ａは、位置決め用穴１０にキャップ３が嵌め込まれた際に、位置決め用穴１０の開口部に形成された後述する面取り部１１（図３を参照）と対向して、その面取り部１１を覆う機能を有する。
【００１５】
図３は、リヤカバー１とオイルポンプボデー２３とを組み付ける際の位置決め作業手順の一例を示した図である。実施形態に係る電動機格納装置１００では、図３（ａ）に示すように、リヤカバー１に設けられた位置決め用穴１０の開口部に面取り部１１が形成されている。そして、図３（ｂ）に示すように、リヤカバー１とオイルポンプボデー２３との位置決めを行うための位置決め用治具４にキャップ３を取り付け、位置決め用穴１０に位置決め用治具４を、キャップ３の円錐部３２の外周面３２ａが面取り部１１を覆うように嵌め込む。次に、図３（ｃ）に示すように、リヤカバー１とオイルポンプボデー２３とを位置決め用治具４にて位置決めを行った状態で、図４に示すように、絶縁ボルト８などによってリヤカバー１とオイルポンプボデー２３とを締結して組み付ける。なお、リヤカバー１とオイルポンプボデー２３とを組み付ける際には、上述したように、リヤカバー１とオイルポンプボデー２３との対向面に絶縁ガスケット５を介在させておく。そして、リヤカバー１とオイルポンプボデー２３とを組み付けた後は、図３（ｄ）に示すように、キャップ３を位置決め用穴１０に残しつつ位置決め用治具４を位置決め用穴１０から抜き取る。
【００１６】
上述したような、実施形態に係る電動機格納装置１００の組み付け方法を採用することにより、位置決め用穴１０の面取り部１１にヒゲバリがあったとしても、リヤカバー１とオイルポンプボデー２３とが導通することがなく、また、キャップ３により電気的に絶縁性を確保することができる。よって、リヤカバー１とオイルポンプボデー２３との間の絶縁性能を高めることができる。
【００１７】
なお、本実施形態においは、リヤカバー１にキャップ３を嵌め込む位置決め用穴１０を設けた場合について説明したが、オイルポンプボデー２３にキャップ３を嵌め込む位置決め用穴を設けても良い。
【符号の説明】
【００１８】
１  リヤカバー
２  オイルポンプ
３  キャップ
４  位置決め用治具
５  絶縁ガスケット
６  ロータ軸
７  軸心油路
８  絶縁ボルト
９  絶縁ワッシャ
１０  位置決め用穴
１１  面取り部
２１  オイルポンプ駆動軸
２２  ポンプロータ
２３  オイルポンプボデー
３１  円筒部
３２  円錐部
３２ａ  外周面
５１  ボールベアリング
５２  ニードルベアリング
１００  電動機格納装置
【図１】
2020028161.tif 000003
【図２】
2020028161.tif 000004
【図３】
2020028161.tif 000005
【図４】
2020028161.tif 000006